(57)【要約】【課題】配光特性を選択することができる照明ランプ本体、照明ランプ及び照明装置を提供することを目的とする。【解決手段】照明ランプ本体１００は、光を出射する光源部１１０と、光源部１１０を駆動する駆動電力を光源部１１０に供給する点灯回路部を内包する内部空間、及び光源部１１０が載置される外面１２２ａを有する筐体部１２０と、光源部１１０の周囲を囲んで筐体部１２０に設けられ、光源部１１０の出射側を覆い光源部１１０から出射された光を透過させるグローブ２０１、２０２が取り付けられる筐体側取付部１２５と、を有し、筐体側取付部１２５は、配光特性の異なる複数種類のグローブ２０１、２０２をそれぞれ着脱自在に取り付け可能である。【選択図】図１
2014235956.tif 000002
【特許請求の範囲】
【請求項１】
光を出射する光源部と、
前記光源部を駆動する駆動電力を前記光源部に供給する点灯回路部を内包する内部空間、及び前記光源部が載置される外面を有する筐体部と、
前記光源部の周囲を囲んで前記筐体部に設けられ、前記光源部の出射側を覆い前記光源部から出射された光を透過させるグローブが取り付けられる取付部と、を有し、
前記取付部は、配光特性の異なる複数種類の前記グローブをそれぞれ着脱自在に取り付け可能であること
を特徴とする照明ランプ本体。
【請求項２】
請求項１に記載の照明ランプ本体と、
前記取付部にそれぞれ着脱自在に取り付け可能な前記複数種類のグローブと、
を有することを特徴とする照明ランプ。
【請求項３】
前記取付部は、前記グローブを螺合により着脱自在に取り付け可能であること
を特徴とする請求項１に記載の照明ランプ本体。
【請求項４】
前記取付部は、前記グローブを係合により着脱自在に取り付け可能であること
を特徴とする請求項１に記載の照明ランプ本体。
【請求項５】
前記取付部は、取り付けられた前記グローブとの間の隙間を封止する封止部材を有すること
を特徴とする請求項１、請求項３又は請求項４のいずれか一項に記載の照明ランプ本体。
【請求項６】
前記光源部はＬＥＤを有すること
を特徴とする請求項１又は請求項３〜請求項５のいずれか一項に記載の照明ランプ本体。
【請求項７】
前記光源部はレーザーダイオードを有すること
を特徴とする請求項１又は請求項３〜請求項５のいずれか一項に記載の照明ランプ本体。
【請求項８】
前記光源部は有機ＥＬを有すること
を特徴とする請求項１又は請求項３〜請求項５のいずれか一項に記載の照明ランプ本体。
【請求項９】
請求項１又は請求項３〜請求項８のいずれか一項に記載の照明ランプ本体と、
前記取付部に取り付けられた前記グローブと、
を有することを特徴とする照明ランプ。
【請求項１０】
請求項２又は請求項９に記載の照明ランプを備えることを特徴とする照明装置。
【発明の詳細な説明】
【技術分野】
【０００１】
本発明は、照明ランプ本体、照明ランプ及び照明装置に関するものである。
【背景技術】
【０００２】
特許文献１には、金属製の本体と、口金と、複数のＬＥＤ光源と、透光性のグローブと、点灯装置とを具備したＬＥＤ電球が記載されている。点灯装置を収容する本体は、外部に露出する周部を有している。周部の一端部には光源装着部及びグローブ接続部が設けられており、他端部には口金が設けられている。光源装着部には、複数のＬＥＤ光源が周方向に所定間隔で配設されている。グローブの端部には、各ＬＥＤ光源に対向する光入射面及び本体接続部が設けられている。グローブは、本体接続部がグローブ接続部に接続され、ＬＥＤ光源がグローブ端部で覆われるように、本体に取り付けられている。
【０００３】
特許文献１のＬＥＤ電球では、ＬＥＤ光源が発した光は、グローブ端部に形成された光入射面からグローブ自体の内部に入射され、このグローブの中央部に向けて伝播されるに伴い、グローブの周部表面から周囲に放出される。これにより、グローブの周囲への配光性能が向上される結果、ＬＥＤ光源が発した光で広範囲を照らすことが可能となる。
【０００４】
特許文献２には、指向性のある光源と、光源を内部に収容し、光源からの光を透過する透光性収容体と、光源から出射される光の少なくとも一部を、配光を広げるべく、透光性収容体の内部において反射させる反射体と、を備える照明装置が記載されている。
【０００５】
特許文献２の照明装置では、光源からの光の一部を光源の光出射方向とは異なる方向にも出射させることが可能となるため、配光を広げることができる。
【先行技術文献】
【特許文献】
【０００６】
【特許文献１】特開２０１２−２０４０８８号公報
【特許文献２】特開２０１０−２０５５５３号公報
【発明の概要】
【発明が解決しようとする課題】
【０００７】
しかしながら、特許文献１のＬＥＤ電球及び特許文献２の照明装置は、いずれも特定の配光特性を有している。このため、上記のＬＥＤ電球及び照明装置では、所望の配光特性を選択することができないという問題点があった。
【０００８】
本発明は、上述のような問題点を解決するためになされたものであり、配光特性を選択することができる照明ランプ本体、照明ランプ及び照明装置を提供することを目的とする。
【課題を解決するための手段】
【０００９】
本発明に係る照明ランプ本体は、光を出射する光源部と、前記光源部を駆動する駆動電力を前記光源部に供給する点灯回路部を内包する内部空間、及び前記光源部が載置される外面を有する筐体部と、前記光源部の周囲を囲んで前記筐体部に設けられ、前記光源部の出射側を覆い前記光源部から出射された光を透過させるグローブが取り付けられる取付部と、を有し、前記取付部は、配光特性の異なる複数種類の前記グローブをそれぞれ着脱自在に取り付け可能であることを特徴とするものである。
【発明の効果】
【００１０】
本発明によれば、配光特性の異なる複数種類のグローブのいずれかを照明ランプ本体の取付部に取り付けることによって、照明ランプの配光特性を選択することができる。
【図面の簡単な説明】
【００１１】
【図１】本発明の実施の形態１に係る照明ランプ本体１００と、照明ランプ本体１００に取り付けられる２種類のグローブ２０１、２０２との構成を示す模式図である。
【図２】本発明の実施の形態１に係る照明ランプ本体１００と、照明ランプ本体１００に取り付けられたグローブ２０１と、を備えた照明ランプ１の構成を示す模式図である。
【図３】本発明の実施の形態１に係る照明ランプ本体１００と、照明ランプ本体１００に取り付けられたグローブ２０２と、を備えた照明ランプ２の構成を示す模式図である。
【図４】本発明の実施の形態１に係る照明ランプ１及び照明ランプ２の配光特性の一例を示すグラフである。
【図５】本発明の実施の形態１に係る照明ランプ本体１００の筐体部１２０とグローブ２０２との取付構造の一例を示す模式的な断面図である。
【図６】本発明の実施の形態１に係る照明ランプ本体１００の筐体部１２０とグローブ２０２との取付構造の他の例を示す模式的な断面図である。
【図７】図５に示した取付構造に封止部材を追加した構成の例を示す図である。
【図８】図５に示した取付構造に封止部材を追加した構成の別の例を示す図である。
【図９】図６に示した取付構造に封止部材を追加した構成の例を示す図である。
【図１０】図６に示した取付構造に封止部材を追加した構成の別の例を示す図である。
【図１１】本発明の実施の形態１に係る照明ランプ２を備えた照明装置３００の構成を示す模式図である。
【発明を実施するための形態】
【００１２】
以下、本発明の実施の形態を、図面に基づいて説明する。なお、以下に示す図面の形態によって本発明が限定されるものではない。
【００１３】
実施の形態１．
本発明の実施の形態１に係る照明ランプ本体、照明ランプ及び照明装置について説明する。図１は、本実施の形態に係る照明ランプ本体１００と、照明ランプ本体１００に取り付けられる２種類のグローブ２０１、２０２との構成を示す模式図である。照明ランプ本体１００と複数種類（本例では２種類）のグローブ２０１、２０２との組合せは、後述するように、本実施の形態に係る照明ランプの商品形態となり得るものである。図２は、本実施の形態に係る照明ランプ本体１００と、照明ランプ本体１００に取り付けられたグローブ２０１と、を備えた照明ランプ１の構成を示す模式図である。図３は、本実施の形態に係る照明ランプ本体１００と、照明ランプ本体１００に取り付けられたグローブ２０２と、を備えた照明ランプ２の構成を示す模式図である。なお、図１〜図３を含む以下の図面では、各構成部材の寸法の関係や形状等が実際のものとは異なる場合がある。
【００１４】
図１に示すように、照明ランプ本体１００は、光源部１１０、筐体部１２０、口金部１３０及び不図示の点灯回路部を有している。照明ランプ本体１００には、配光特性の異なる複数種類（本例では２種類）のグローブ２０１、２０２が着脱自在に取り付けられるようになっている。図２に示すように、照明ランプ本体１００にグローブ２０１が取り付けられると、所定の配光特性（例えば、全方向光束タイプの配光特性）を有する照明ランプ１が構成される。照明ランプ１は、グローブ２０１、筐体部１２０及び口金部１３０で外郭をなす電球形の照明ランプである。一方、図３に示すように、照明ランプ本体１００にグローブ２０２が取り付けられると、照明ランプ１とは異なる配光特性（例えば、下方向光束タイプの配光特性）を有する照明ランプ２が構成される。照明ランプ２は、グローブ２０２、筐体部１２０及び口金部１３０で外郭をなす電球形の照明ランプである。
【００１５】
光源部１１０は、発光手段である１つ又は複数の発光ダイオード（Ｌｉｇｈｔ  Ｅｍｉｔｔｉｎｇ  Ｄｉｏｄｅ。以下「ＬＥＤ」という）１１１と、ＬＥＤ１１１が実装されるＬＥＤ基板１１２と、を備えている。光源部１１０の構成要素には、ＬＥＤ１１１及びＬＥＤ基板１１２のほか、点灯回路部と電気的に接続されて駆動電力を点灯回路部から光源部１１０に伝達するワイヤーハーネスやコネクタなどの配線部材（図示せず）、及び照明ランプ本体１００の設計仕様に応じて必要となる電子部品、などが含まれる。本例では、グローブ２０１又はグローブ２０２が照明ランプ本体１００から取り外されると、ＬＥＤ１１１及びＬＥＤ基板１１２が外部に露出する場合がある。このため、ＬＥＤ１１１及びＬＥＤ基板１１２は、絶縁回路として構成することが望ましい。また、ガラスや透明樹脂などで形成された透光性カバーをＬＥＤ１１１及びＬＥＤ基板１１２を覆うように取り付けてもよい。
【００１６】
筐体部１２０は、一端側においてグローブ２０１又はグローブ２０２と嵌合するとともに、他端側において口金部１３０と嵌合している。筐体部１２０は、内部に点灯回路部を収納する樹脂筐体１２１と、樹脂筐体１２１の外側に取り付けられる金属筐体１２２とを備える。樹脂筐体１２１は、ポリカーボネートやアクリルなどの樹脂素材やセラミックなどを用いて形成される。樹脂筐体１２１は、一部が照明ランプ１又は照明ランプ２の外郭部を構成するとともに、金属筐体１２２と口金部１３０との間、及び金属筐体１２２と点灯回路部との間を電気的に絶縁する。樹脂筐体１２１は、点灯回路部を収容する内部空間を有している。金属筐体１２２は、照明ランプ１又は照明ランプ２の外郭部の一部を構成している。金属筐体１２２は、樹脂筐体１２１を内包するとともに光源部１１０を外面１２２ａに載置している。
【００１７】
口金部１３０は、一端が照明装置３００のソケット３２０（図７参照）に嵌合する構造を有しており、照明装置３００経由で商用電力を照明ランプ１又は照明ランプ２に入力する入力端となる。また、口金部１３０の他端は、筐体部１２０（本例では樹脂筐体１２１）に嵌合している。商用電力は、口金部１３０を介して点灯回路部に供給される。
【００１８】
不図示の点灯回路部は、商用電力である交流からＬＥＤ１１１を駆動する直流に変換するＡＣ−ＤＣコンバータ回路を有する。点灯回路部は、口金部１３０から入力された商用電力を、光源部１１０を駆動する駆動電力に変換して、駆動電力を光源部１１０に供給する。好ましくは、点灯回路部は、ＬＥＤ１１１を安定駆動するために、負荷変動の検出機能、負荷変動に応じてＡＣ−ＤＣコンバータ回路から出力される駆動電流を制御する制御機能、商用電力の供給経路を介して流入及び／又は流出するノイズを除去又は低減するフィルタ機能などをさらに有する。点灯回路部は、樹脂筐体１２１の内部空間に内包保持されている。点灯回路部の機械的固定（樹脂筐体１２１内でのガタツキ防止）や点灯回路部の放熱促進などを目的として、熱伝導性を有する充填部材などを樹脂筐体１２１の内部空間に充填してもよい。
【００１９】
光源部１１０は、金属筐体１２２の口金部１３０とは反対側の端面となる外面１２２ａに載置されている。グローブ２０１又はグローブ２０２は、光源部１１０の光の出射側を覆うように、金属筐体１２２に取り付けられる。金属筐体１２２にグローブ２０１又はグローブ２０２が取り付けられると、筐体部１２０及び口金部１３０は、グローブ２０１又はグローブ２０２と共に全体として電球形の外形をなす。グローブ２０１及びグローブ２０２と筐体部１２０との取付構造（取付部５０、筐体側取付部１２５、グローブ側取付部２０５）については後述する。
【００２０】
グローブ２０１は、例えばガラスや樹脂などの光が透過する素材（透光性を有する素材）で構成されている。グローブ２０１を構成する樹脂としては、例えばポリカーボネートやアクリルなどが製品仕様に応じて選択される。グローブ２０１は、図２に示すように、光源部１１０の出射側を覆うように照明ランプ本体１００に対して取り付けられる。グローブ２０１は、曲面形状の外形を有している。具体的には、グローブ２０１の外形状は、球面の一部が平面で切り取られた部分球面状（球冠状）である。グローブ２０１におけるこの部分球面は、球面の半径よりも長い高さを有している。グローブ２０１の外形状は、略球面状であってもよい。グローブ２０１は、透光性を有し、光源部１１０から出射される光を透過させるとともに、照明ランプ１の仕様に応じて、光を拡散、集光、反射させる機能を併せ持つ。これらの機能は、グローブ２０１の基材であるガラス又は樹脂を成形する際に拡散層（あるいは拡散面）、レンズ、反射層（あるいは反射面）などを形成して基材自身で直接的に実現してもよいし、基材の表面にそれらの機能を有する別部材（例えば、光学フィルム）を組み合わせて実現してもよい。本例のグローブ２０１は、いわゆる全方向光束タイプの配光特性を有している。
【００２１】
グローブ２０２は、グローブ２０１と同様に、例えばガラスや樹脂などの光（例えば、可視光）が透過する素材（透光性を有する素材）で構成されている。グローブ２０２を構成する樹脂としては、例えばポリカーボネートやアクリルなどが製品仕様に応じて選択される。グローブ２０２は、図３に示すように、光源部１１０の出射側を覆うように照明ランプ本体１００に対して取り付けられる。グローブ２０２は、曲面形状の外形を有している。具体的には、グローブ２０２の外形状は、球面の一部が当該球面の略中心を通る平面で切り取られた半球面状である。すなわちグローブ２０２は、グローブ２０１とは異なる寸法形状を有している。グローブ２０２は、透光性を有し、光源部１１０から出射される光を透過させるとともに、照明ランプ２の仕様に応じて、光を拡散、集光、反射させる機能を併せ持つ。これらの機能は、グローブ２０２の基材であるガラス又は樹脂を成形する際に拡散層（あるいは拡散面）、レンズ、反射層（あるいは反射面）などを形成して基材自身で直接的に実現してもよいし、基材の表面にそれらの機能を有する別部材（例えば、光学フィルム）を組み合わせて実現してもよい。本例のグローブ２０２は、いわゆる下方向光束タイプの配光特性を有している。
【００２２】
図４は、照明ランプ１（グローブ２０１）及び照明ランプ２（グローブ２０２）の配光特性の一例を示すグラフ（配光曲線）である。グラフの周方向は角度（ｄｅｇ）を表しており、径方向は光度（ｃｄ）を表している。ここで、角度は、各照明ランプ１、２の正面方向（光軸方向。例えば、鉛直下方向）を０°とし、その逆方向（例えば、鉛直上方向）を１８０°としている。図４中の曲線Ａは照明ランプ１の配光特性を示しており、曲線Ｂは照明ランプ２の配光特性を示している。図４に示すように、照明ランプ１は、中心光度（角度０°での光度）が約８５ｃｄ、１／２ビーム角θ１が約２４０．３°となる配光特性を有している。照明ランプ２は、中心光度が約１７２ｃｄ、１／２ビーム角θ２が約１４８．０°となる配光特性を有している。すなわち、照明ランプ１は相対的に広い範囲に光を照射できる配光特性を有しており、照明ランプ２は特定方向に高光度で光を照射できる配光特性を有している。
【００２３】
次に、照明ランプ本体１００の筐体部１２０とグローブ２０１及びグローブ２０２のそれぞれとの取付構造について説明する。以下、筐体部１２０とグローブ２０２との取付構造を例に挙げて説明するが、筐体部１２０とグローブ２０１との取付構造も同様である。グローブ２０２は、筐体部１２０に対し、取付部５０を介して着脱自在に取り付けられる。取付部５０は、光源部１１０の周囲を囲んで筐体部１２０（本例では金属筐体１２２）側に設けられた筐体側取付部１２５と、グローブ２０２側に設けられたグローブ側取付部２０５とからなる。グローブ２０２は、取付部５０を介して筐体部１２０に取り付けられると、筐体部１２０（照明ランプ本体１００）をいかなる方向に向けても筐体部１２０から離脱しない。また、グローブ２０２は、取付部５０を介して筐体部１２０に取り付けられた状態では、筐体部１２０に対して相対的に回動しないことが好ましい。
【００２４】
以下、筐体部１２０とグローブ２０２との取付構造について具体例を挙げて説明する。ただし、筐体部１２０とグローブ２０２との取付構造は、筐体部１２０とグローブ２０２とが着脱自在に取り付けられ、かつ取り付けられた状態が維持可能な取付構造であれば、以下の具体例には限定されない。
【００２５】
図５は、照明ランプ本体１００の筐体部１２０とグローブ２０２との取付構造の一例を示す模式的な断面図である。図５に示す例では、筐体側取付部１２５とグローブ側取付部２０５とが相互に螺合する構造となっており、筐体側取付部１２５にはグローブ２０２が螺合により着脱自在に取付け可能となっている。グローブ側取付部２０５は、円筒状の形状を有する筒状部２０６を備えている。筒状部２０６の内周面には、ねじ加工が施されている。筐体側取付部１２５は、グローブ側取付部２０５の筒状部２０６内に嵌入可能な筒状部１２６を有している。筒状部１２６の外周面には、筒状部２０６の内周面に対応したねじ加工が施されている。なお、本例の構成では、筐体部１２０（金属筐体１２２）は、当該筐体部１２０の外周面から外方に延出して形成された金属製の複数の放熱フィン１２７を有している。
【００２６】
筐体部１２０にグローブ２０２を取り付ける際には、グローブ側取付部２０５の筒状部２０６を筐体側取付部１２５の筒状部１２６に対して同軸に当接させ、グローブ２０２を筐体部１２０に対して所定の順方向に回転させる。これにより、グローブ側取付部２０５の筒状部２０６が筐体側取付部１２５の筒状部１２６にねじ込まれ、グローブ２０２が筐体部１２０に対して固定される。
【００２７】
一方、筐体部１２０からグローブ２０２を取り外す際には、グローブ２０２を筐体部１２０に対して上記順方向とは逆方向に回転させる。これにより、グローブ側取付部２０５の筒状部２０６と筐体側取付部１２５の筒状部１２６とのねじ込みが解除され、グローブ２０２が筐体部１２０から取り外される。ここで、筐体部１２０にグローブ２０２を取り付ける際に順方向にねじ込む力よりも、筐体部１２０からグローブ２０２を取り外す際に逆方向にねじる（緩める）力の方が大きく設定されることが望ましい。
【００２８】
図６は、照明ランプ本体１００の筐体部１２０とグローブ２０２との取付構造の他の例を示す模式的な断面図である。図６に示す例では、筐体側取付部１２５とグローブ側取付部２０５とが径方向の押圧によって嵌合して係止される構造となっており、筐体側取付部１２５にはグローブ２０２が係合により着脱自在に取り付け可能となっている。グローブ側取付部２０５は、筒状（例えば、円筒状）の形状を有し弾性変形可能な筒状部２０７を備えている。筒状部２０７の内周面には、後述する筐体側係合部１２９に係合するグローブ側係合部２０８が内周側に凸状に形成されている。本例のグローブ側係合部２０８は半円状の断面形状を有しているが、グローブ側係合部２０８は、筐体側係合部１２９に係合可能な形状であれば他の形状を有していてもよい。また、本例のグローブ側係合部２０８は筒状部２０７の内周面の全周に亘って形成されているが、グローブ側係合部２０８は、筒状部２０７の内周面に部分的に形成されていてもよい。筒状部２０７の外周面には、グローブ側係合部２０８の形成により生じる凹部２０９が形成されている。凹部２０９は、グローブ側係合部２０８の弾性変形を補助する機能を有している。
【００２９】
筐体側取付部１２５は、グローブ側取付部２０５の筒状部２０７内に嵌入可能な筒状部１２８を有している。筒状部１２８の外周面には、グローブ側係合部２０８に係合可能な筐体側係合部１２９が凹状に形成されている。本例の筐体側係合部１２９は筒状部１２８の外周面の全周に亘って形成されているが、例えばグローブ側係合部２０８が部分的に形成されている場合、筐体側係合部１２９は、グローブ側係合部２０８の形成位置に対応する位置のみに形成されていてもよい。
【００３０】
筐体部１２０にグローブ２０２を取り付ける際には、グローブ側取付部２０５の筒状部２０７内に筐体側取付部１２５の筒状部１２８を嵌入させ、筒状部２０７の内周に形成されたグローブ側係合部２０８を筒状部１２８の先端に当接させる。その後、グローブ２０２を筐体部１２０に対してさらに押し込むと、グローブ側係合部２０８に弾性変形が生じ、グローブ側係合部２０８が筐体側取付部１２５の筒状部１２８外周面に乗り上げる。グローブ側係合部２０８は、筒状部１２８外周面を乗り越えて筐体側係合部１２９の位置に達すると、元の形状に復元して筐体側係合部１２９に嵌り込む。この状態では、筐体側取付部１２５の筐体側係合部１２９は、グローブ側取付部２０５のグローブ側係合部２０８によって径方向内側（中心軸側）に押圧される。これにより、グローブ２０２が筐体部１２０に対して固定される。
【００３１】
一方、筐体部１２０からグローブ２０２を取り外す際には、グローブ２０２に筐体部１２０から引き離す方向の力を加える。これにより、グローブ側係合部２０８に弾性変形が生じ、グローブ側係合部２０８が筐体側取付部１２５の筒状部１２８外周面に乗り上げ、グローブ２０２と筐体部１２０との間の係合が解除される。その後、グローブ２０２に筐体部１２０から引き離す方向の力をさらに加えると、グローブ側係合部２０８が筒状部１２８外周面を乗り越える。これにより、グローブ２０２が筐体部１２０から取り外される。
【００３２】
なお、本例では、グローブ側係合部２０８が筐体側係合部１２９（筐体側取付部１２５）を径方向内側（中心軸側）に押圧することによってグローブ２０２が筐体部１２０に対して固定されているが、グローブ側係合部２０８が筐体側取付部１２５を径方向外側（外周側）に押圧することによってグローブ２０２が筐体部１２０に対して固定されるようにしてもよい。この場合、例えば筐体側取付部１２５は、グローブ側取付部２０５の筒状部２０７を内部に嵌入可能な筒状部１２８を有する。筐体側取付部１２５の筒状部１２８の内周面には筐体側係合部１２９が形成され、グローブ側取付部２０５の筒状部２０７の外周面には、筐体側係合部１２９に係合可能で筐体側取付部１２５を外周側に押圧するグローブ側係合部２０８が形成される。
【００３３】
また、取付部５０（筐体側取付部１２５及びグローブ側取付部２０５）は、筐体側取付部１２５の筒状部１２８とグローブ側取付部２０５の筒状部２０７とが相対的に所定の回動位置関係にある場合に、互いの係止が解除されてグローブ２０２を筐体部１２０から取り外し可能となる構造を有していてもよい。
【００３４】
また、取付部５０は、筐体側取付部１２５の筒状部１２８及びグローブ側取付部２０５の筒状部２０７のうちの一方を他方に挿入する際の挿入ガイドを有していてもよい。挿入ガイドは、例えば、筒状部１２８又は筒状部２０７の一方に形成された突起（凸部）と、筒状部１２８又は筒状部２０７の他方に形成されたガイド溝（凹部）と、により構成される。ガイド溝は、筒状部１２８又は筒状部２０７の先端部から軸方向（照明ランプの軸方向）に所定の長さで延伸し、上記の突起が摺動可能に嵌入されるようになっている。
【００３５】
また、取付部５０は、筐体側取付部１２５の筒状部１２８及びグローブ側取付部２０５の筒状部２０７のうちの一方を他方に挿入する際に、所定量を超えて挿入されないように規制する挿入ストッパを有していてもよい。
【００３６】
また、取付部５０は、筐体側取付部１２５の筒状部１２８及びグローブ側取付部２０５の筒状部２０７のうちの一方を他方に挿入した状態で、筒状部１２８及び筒状部２０７を相対的に回動させる際のガイドとなる回動ガイドを有していてもよい。
【００３７】
また、取付部５０は、筐体側取付部１２５の筒状部１２８とグローブ側取付部２０５の筒状部２０７とが相対的に所定の回動位置関係にある場合に、筒状部１２８及び筒状部２０７が軸方向に相互に係止されて離脱しない構造を有していてもよい。
【００３８】
また、取付部５０は、筒状部１２８及び筒状部２０７を相対的に回動させる際に、所定の回動角度範囲を超えて回動しないように規制する回動ストッパを有していてもよい。
【００３９】
また、取付部５０は、筒状部１２８及び筒状部２０７を相対的に回動させる際に、所定の一方向への回動のみを許容し、逆方向への回動を規制する逆回動ストッパを有していてもよい。
【００４０】
挿入ガイドや回動ガイド等は、互いに異なる断面形状を有する凹部及び凸部の組合せにより構成されていてもよいし、同じ断面形状を有する鉤構造の組合せにより構成されていてもよい。
【００４１】
また、取付部５０は、筐体側取付部１２５及び／又はグローブ側取付部２０５に、筐体部１２０とグローブ２０２との間の隙間を密閉封止する封止部材（例えば、パッキン、シールなど）を有していてもよい。これにより、グローブ２０２が筐体部１２０に取り付けられた状態で、照明ランプ２の内部（例えば、光源部１１０や点灯回路部など）に塵埃などの異物が侵入してしまうことを防止できる。封止部材は、筐体側取付部１２５及び／又はグローブ側取付部２０５と一体的に設けられていてもよいし、筐体側取付部１２５及び／又はグローブ側取付部２０５とは別体の部材（例えば、リング状部材など）として設けられていてもよい。
【００４２】
図７は、図５に示した取付構造に封止部材を追加した構成の例を示している。図７に示すように、外面１２２ａ上の周縁部には、リング状の封止部材１４０が配設されている。一方、グローブ側取付部２０５の奥側には、封止部材１４０を全周に亘って押圧するリング状の押圧部２１０がグローブ２０２と一体的に形成されている。筐体部１２０にグローブ２０２が螺合により取り付けられると、封止部材１４０は、押圧部２１０と外面１２２ａの周縁部との間に挟持され、押圧部２１０及び外面１２２ａの双方に密着する。これにより、筐体部１２０とグローブ２０２との間の隙間を密閉封止できる。
【００４３】
図８は、図５に示した取付構造に封止部材を追加した構成の別の例を示している。図８に示すように、筒状部１２６の外周面には、リング状の封止部材１４１が密着して配設されている。一方、グローブ側取付部２０５の先端側には、封止部材１４１を全周に亘って押圧するリング状の押圧部２１１がグローブ２０２と一体的に形成されている。筐体部１２０にグローブ２０２が螺合により取り付けられると、封止部材１４１は、押圧部２１１により押圧され、押圧部２１１及び筒状部１２６の外周面の双方に密着する。これにより、筐体部１２０とグローブ２０２との間の隙間を密閉封止できる。
【００４４】
図９は、図６に示した取付構造に封止部材を追加した構成の例を示している。図９に示すように、外面１２２ａ上の周縁部には、リング状の封止部材１４０が配設されている。一方、グローブ側取付部２０５の奥側には、封止部材１４０を全周に亘って押圧するリング状の押圧部２１０がグローブ２０２と一体的に形成されている。筐体部１２０にグローブ２０２が係合により取り付けられると、封止部材１４０は、押圧部２１０と外面１２２ａの周縁部との間に挟持され、押圧部２１０及び外面１２２ａの双方に密着する。これにより、筐体部１２０とグローブ２０２との間の隙間を密閉封止できる。
【００４５】
図１０は、図６に示した取付構造に封止部材を追加した構成の別の例を示している。図１０に示すように、筒状部１２８の外周面には、リング状の封止部材１４１が密着して配設されている。一方、グローブ側取付部２０５の先端側には、封止部材１４１を全周に亘って押圧するリング状の押圧部２１１がグローブ２０２と一体的に形成されている。筐体部１２０にグローブ２０２が係合により取り付けられると、封止部材１４１は、押圧部２１１により押圧され、押圧部２１１及び筒状部１２８の外周面の双方に密着する。これにより、筐体部１２０とグローブ２０２との間の隙間を密閉封止できる。
【００４６】
以上、筐体部１２０とグローブ２０２との取付構造を例に挙げて説明したが、筐体部１２０とグローブ２０１との取付構造（グローブ２０１側の取付構造）も共通の構成を有している。すなわち、本実施の形態の照明ランプ本体１００には、配光特性の異なるグローブ２０１、２０２を着脱自在に取り付けることが可能である。配光特性の異なるグローブ２０１、２０２を照明ランプ本体１００に取り付けることによって、配光特性の異なる照明ランプ１、２を得ることができる。
【００４７】
図１１は、本実施の形態に係る照明ランプ２を備えた照明装置３００の構成を示す模式図である。図１１に示すように、照明装置３００は、照明ランプ２を内包する器具本体３１０と、照明ランプ２の口金部１３０が着脱自在に取り付けられるソケット３２０と、器具本体３１０内に設けられ照明ランプ２から出射された光を反射するリフレクタ３３０と、を備える。図１１に示す照明装置３００は、天井３４０に形成された開口部に挿入され、天井３４０側から室内を照明する照明装置である。照明装置３００には、照明ランプ２だけでなく照明ランプ１を取り付けることもできることは言うまでもない。また、照明ランプ１、２は、このような天井取付型の照明装置３００のほか、例えば、壁に設置される照明装置や卓上に載置される照明装置などの他の照明装置にも取付可能である。
【００４８】
以上説明したように、本実施の形態に係る照明ランプ本体１００は、光を出射する光源部１１０と、光源部１１０を駆動する駆動電力を光源部１１０に供給する点灯回路部を内包する内部空間、及び光源部１１０が載置される外面１２２ａを有する筐体部１２０と、光源部１１０の周囲を囲んで筐体部１２０に設けられ、光源部１１０の出射側を覆い光源部１１０から出射された光を透過させるグローブ２０１、２０２が取り付けられる筐体側取付部１２５と、を有し、筐体側取付部１２５は、配光特性の異なる複数種類のグローブ２０１、２０２をそれぞれ着脱自在に取り付け可能であることを特徴とするものである。
【００４９】
この構成によれば、所望の配光特性を有するグローブ２０１、２０２を照明ランプ本体１００に取り付けることによって、専門的な知識や技能を備えない一般ユーザであっても、照明ランプの配光特性を容易に選択することができる。また、この構成によれば、グローブ２０１、２０２を交換することによって、専門的な知識や技能を備えない一般ユーザであっても、照明ランプの配光特性を容易に変更することができる。また、筐体部１２０とグローブ２０１、２０２との取付構造を標準化することによって、例えば互いに製造元の異なる照明ランプとグローブとを組み合わせて取り付けることも可能となる。
【００５０】
また、本実施の形態に係る照明ランプは、上記の照明ランプ本体１００と、筐体側取付部１２５にそれぞれ着脱自在に取り付け可能な複数種類のグローブ２０１、２０２と、を有することを特徴とするものである。また、本実施の形態に係る照明ランプ１（又は照明ランプ２）は、上記の照明ランプ本体１００と、筐体側取付部１２５に取り付けられたグローブ２０１（又はグローブ２０２）と、を有することを特徴とするものである。
【００５１】
この構成によれば、所望の配光特性を有するグローブ２０１、２０２を照明ランプ本体１００に取り付けることによって、専門的な知識や技能を備えない一般ユーザであっても、照明ランプの配光特性を容易に選択することができる。また、この構成によれば、グローブ２０１、２０２を交換することによって、専門的な知識や技能を備えない一般ユーザであっても、照明ランプの配光特性を容易に変更することができる。
【００５２】
本実施の形態に係る照明ランプ１、２に関する商品形態の例としては、（１）全方向光束タイプの照明ランプ１（完成品）、（２）下方向光束タイプの照明ランプ２（完成品）、（３）照明ランプ本体１００（半完成品）、（４）グローブ２０１（部品）、（５）グローブ２０２（部品）、（６）照明ランプ１及びグローブ２０２の組合せ、（７）照明ランプ２及びグローブ２０１の組合せ、（８）照明ランプ本体１００及びグローブ２０１の組合せ、（９）照明ランプ本体１００及びグローブ２０２の組合せ、（１０）照明ランプ本体１００及びグローブ２０１、２０２の組合せ、等が考えられる。商品形態（６）、（７）、（１０）は、照明ランプ本体１００と複数種類のグローブ２０１、２０２との組合せを含むものである。
【００５３】
本実施の形態によれば、上記のような様々な組合せの商品形態が実現できるため、消費者の選択肢が広がり利便性や経済性が向上する。
【００５４】
また、本実施の形態によれば、製品の量産コストを抑制する効果も期待できる。すなわち、複数種類の照明ランプ１、２のうちグローブ２０１、２０２を除く外郭構成部品（照明ランプ本体１００）を共通化することによって、材料コストや管理コストの抑制効果があり、総合的なコストの抑制が可能となる。
【００５５】
また、本実施の形態によれば、グローブ２０１、２０２が照明ランプ本体１００から容易に取り外し可能であるため、細片化及び破砕化の容易性向上、製品の分解及び分離の容易性向上などの効果が得られる。
【００５６】
その他の実施の形態．
本発明は、上記実施の形態に限らず種々の変形が可能である。
例えば、上記実施の形態では、配光特性の異なる２種類のグローブ２０１、２０２によって２種類の配光特性が得られる照明ランプを例に挙げたが、照明ランプは、配光特性の異なる３種類以上のグローブによって３種類以上の配光特性が得られるようにしてもよい。すなわち、照明ランプ本体１００の筐体側取付部１２５は、配光特性の異なる３種類以上のグローブをそれぞれ着脱自在に取り付け可能であってもよい。
【００５７】
また、上記実施の形態では、配光特性の異なる複数種類のグローブを例に挙げたが、配光特性以外の光学特性（例えば、光色特性）の異なる複数種類のグローブを用いてもよいし、あるいは、配光特性を含む複数の光学特性の組合せ（例えば、配光特性及び光色特性の組合せ）が異なる複数種類のグローブを用いてもよい。
【００５８】
また、上記実施の形態では、光源部１１０の発光手段としてＬＥＤ１１１を用いた例を挙げたが、光源部１１０の発光手段としてはレーザーダイオード、有機ＥＬなどを用いることもできる。
【００５９】
また、上記の実施の形態や変形例は、互いに組み合わせて実施することが可能である。
【符号の説明】
【００６０】
１、２  照明ランプ、５０  取付部、１００  照明ランプ本体、１１０  光源部、１１１  ＬＥＤ、１１２  ＬＥＤ基板、１２０  筐体部、１２１  樹脂筐体、１２２  金属筐体、１２２ａ  外面、１２５  筐体側取付部、１２６、１２８  筒状部、１２７  放熱フィン、１２９  筐体側係合部、１３０  口金部、１４０、１４１  封止部材、２０１、２０２  グローブ、２０５  グローブ側取付部、２０６、２０７  筒状部、２０８  グローブ側係合部、２０９  凹部、２１０、２１１  押圧部、３００  照明装置、３１０  器具本体、３２０  ソケット、３３０  リフレクタ、３４０  天井、θ１、θ２  １／２ビーム角。
【図１】
2014235956.tif 000003
【図２】
2014235956.tif 000004
【図３】
2014235956.tif 000005
【図４】
2014235956.tif 000006
【図５】
2014235956.tif 000007
【図６】
2014235956.tif 000008
【図７】
2014235956.tif 000009
【図８】
2014235956.tif 000010
【図９】
2014235956.tif 000011
【図１０】
2014235956.tif 000012
【図１１】
2014235956.tif 000013